(57)【要約】【課題】電源コードなどを本体ケース内に固定する締結手段の先端が露出するのを、部品を増やすことなく防ぐこと。【解決手段】コード固定用穴２１ｂとナット２８が鍔部３０ａで覆われる範囲に設けてあり、開口部カバー３０を開口部２３に取り付けると露出していたコード固定ネジ２５とアース線固定ネジ２９の先端が鍔部３０ａで覆われる。その結果、部品を増やすことなくコード固定ネジ２５やアース線固定ネジ２９の露出を防ぐことができる。【選択図】図１
2010245311.tif 000002
【特許請求の範囲】
【請求項１】
電源コード取り付け用の開口部を有した本体ケースと、前記電源コードを前記本体ケース内側に固定するコード固定具と、前記コード固定具を前記本体ケースに締結するコード固定具締結手段と、前記本体ケースの外側に取り付けられ前記開口部を塞ぐ開口部カバーとを備え、前記開口部カバーは前記開口部から外側に延伸した鍔部を有し、前記コード固定具締結手段が前記鍔部外周よりも内側に配置され前記鍔部で覆われた電源コード取り付け構造。
【請求項２】
電源コード取り付け用の開口部を有した本体ケースと、前記本体ケースの外側に取り付けられ前記開口部を塞ぐ開口部カバーと、前記本体ケースをアース接続するアース線と、前記アース線の一端を前記本体ケース内側の取り付けるアース線締結手段とを備え、前記開口部カバーは前記開口部から外側に延伸した鍔部を有し、前記アース線締結手段が前記鍔部外周よりも内側に配置され前記鍔部で覆われた電源コード取り付け構造。
【請求項３】
開口部カバーを本体ケース外側に締結するカバー締結手段を備え、前記カバー締結手段がコード固定具締結手段よりも開口部側に配置された請求項１に記載の電源コード取り付け構造。
【請求項４】
開口部カバーを本体ケース外側に締結するカバー締結手段を備え、前記カバー締結手段がアース線締結手段よりも開口部側に配置された請求項２に記載の電源コード取り付け構造。
【請求項５】
開口部カバーを本体ケース外側に締結するカバー締結手段を備え、前記カバー締結手段とコード固定具締結手段が開口部からほぼ等間隔に配置された請求項１に記載の電源コード取り付け構造。
【請求項６】
開口部カバーを本体ケース外側に締結するカバー締結手段を備え、前記カバー締結手段とアース線締結手段が開口部からほぼ等間隔に配置された請求項２に記載の電源コード取り付け構造。
【発明の詳細な説明】
【技術分野】
【０００１】
本発明は、電源コードを固定するコード固定具やアース線をネジで本体ケースに固定する電源コードの取り付け構造に関するものである。
【背景技術】
【０００２】
従来、この種の電源コード取り付け構造としては、電源コードやアース線を本体ケース内に引き込みネジを使って本体ケースに締め込むことによってそれらを本体ケース内に固定するものがあった（例えば、特許文献１参照）。
【０００３】
その構成は図７〜図８に示すように、板金で形成された本体ケース１の底面１ａには電源コード２を取り付ける開口部３が設けられている。電源コード２は開口部３から挿入され、コード固定具４を電源コード２に当接し、コード固定ネジ５を底面１ａに設けたコード固定用穴１ｂに締め込むことによって電源コード２が圧接されて底面１ａに保持される。また、電源コード２には本体ケース１をアース接続するためのアース線６が内包されており、アース線６の先端には端子７が取り付けられている。底面１ａの外側にはナット８が溶接固定されており、端子７はアース線固定ネジ９を底面１ａの貫通穴１ｃを通してナット８に締め込むことによって底面１ａに固定され、本体ケース１がアース線６と導通される。コード固定ネジ５とアース線固定ネジ９は長さが短いとコード固定用穴１ｂやナット８への係りが少なく破損しやすくなるため、コード固定用穴１ｂとナット８から突出する程度の長さのネジが使用される。開口部３は外側から開口部カバー１０を取り付けることで塞がれるとともに、開口部カバー１０は開口部３に電源コード２が接触するのを防いでいる。開口部カバー１０はカバー固定ネジ１１をカバー固定穴１ｄに締め込むことによって底面１ａに固定される。
【先行技術文献】
【特許文献】
【０００４】
【特許文献１】特開平５−４４９４５号公報
【発明の概要】
【発明が解決しようとする課題】
【０００５】
しかしながら従来の構成では、本体ケース１の内側から外側に向けて締め込んだコード固定ネジ５やアース線固定ネジ９の先端が突出し露出してしまっていた。そして、この状態で本体ケース１を持ち上げて移動すると、コード固定ネジ５やアース線固定ネジ９の先端が手に触れて痛く感じてしまうといったことや他の物に引っ掛けてしまうという課題があった。
【０００６】
本発明は、前記従来の課題を解決するもので、コード固定具締結手段を本体ケースの外側に取り付けた開口部カバーの鍔部外周よりも内側に配置することによって、部品を増やすことなく締結手段の露出を防ぐ電源コード取り付け構造を提供することを目的とする。
【課題を解決するための手段】
【０００７】
前記従来の課題を解決するために、本発明の電源コード取り付け構造は、電源コードを取り付け用の開口部を有した本体ケースと、前記電源コードを前記本体ケース内側に固定するコード固定具と、前記コード固定具を前記本体ケースに締結するコード固定具締結手段と、前記本体ケースの外側に取り付けられ前記開口部を塞ぐ開口部カバーとを備え、前記開口部カバーは前記開口部から外側に延伸した鍔部を有し、前記コード固定具締結手段が前記鍔部外周よりも内側に配置され前記鍔部で覆われたものである。
【０００８】
これによって、開口部カバーの鍔部でコード固定具締結手段の露出した先端を覆い、部品を増やすことなくコード固定具締結手段の露出を防ぐことができるものである。
【発明の効果】
【０００９】
本発明の電源コード取り付け構造は、開口部カバーでコード固定具締結手段の先端を覆うことで、部品を増やすことなくコード固定具締結手段の露出を防ぐことができる。
【図面の簡単な説明】
【００１０】
【図１】本発明の実施の形態１における電源コード取り付け構造の断面図
【図２】同電源コード取り付け構造の分解斜視図
【図３】同電源コード取り付け構造の下面図
【図４】本発明の実施の形態２における電源コード取り付け構造の断面図
【図５】同電源コード取り付け構造の下面図
【図６】本発明の実施の形態３における電源コード取り付け構造の下面図
【図７】従来例における電源コード取り付け構造の断面図
【図８】同電源コード取り付け構造の下面図
【発明を実施するための形態】
【００１１】
第１の発明は、電源コード取り付け用の開口部を有した本体ケースと、前記電源コードを前記本体ケース内側に固定するコード固定具と、前記コード固定具を前記本体ケースに締結するコード固定具締結手段と、前記本体ケースの外側に取り付けられ前記開口部を塞ぐ開口部カバーとを備え、前記開口部カバーは前記開口部から外側に延伸した鍔部を有し、前記コード固定具締結手段が前記鍔部外周よりも内側に配置され前記鍔部でコード固定具締結手段の露出した先端を覆ったことによって、部品を増やすことなくコード固定具締結手段の露出を防ぐことができるものである。
【００１２】
第２の発明は、電源コード取り付け用の開口部を有した本体ケースと、前記本体ケースの外側に取り付けられ前記開口部を塞ぐ開口部カバーと、前記本体ケースをアース接続するアース線と、前記アース線の一端を前記本体ケース内側の取り付けるアース線締結手段とを備え、前記開口部カバーは前記開口部から外側に延伸した鍔部を有し、前記アース線締結手段が前記鍔部外周よりも内側に配置され開口部カバーの鍔部でアース線締結手段の露出した先端を覆ったことによって、部品を増やすことなくアース線締結手段の露出を防ぐことができるものである。
【００１３】
第３の発明は、特に、第１の発明において、開口部カバーを本体ケース外側に締結するカバー締結手段を備え、前記カバー締結手段をコード固定具締結手段よりも開口部側に配置したもので、電源コードを押し下げた時の開口部カバーの変形をしにくくし開口部カバーの破損や電源コードの挟み込みを回避することができる。
【００１４】
第４の発明は、特に、第２の発明において、開口部カバーを本体ケース外側に締結するカバー締結手段を備え、前記カバー締結手段をアース線締結手段よりも開口部側に配置したもので、電源コードを押し下げた時の開口部カバーの変形をしにくくし開口部カバーの破損や電源コードの挟み込みを回避することができる。
【００１５】
第５の発明は、特に、第１の発明において、開口部カバーを本体ケース外側に締結するカバー締結手段を備え、前記カバー締結手段とコード固定具締結手段を開口部からほぼ等間隔の位置に配置したことにより、開口部カバーの横幅が短くなり強度を高めやすく、反りや力が加わった時の変形を小さくできる。
【００１６】
第６の発明は、特に、第２の発明において、開口部カバーを本体ケース外側に締結するカバー締結手段を備え、前記カバー締結手段とアース線締結手段が開口部からほぼ等間隔の位置に配置したことにより、開口部カバーの横幅が短くなり強度を高めやすく、反りや力が加わった時の変形を小さくできる。
【００１７】
以下、本発明の実施の形態について、図面を参照しながら説明する。なお、この実施の形態によって本発明が限定されるものではない。
【００１８】
（実施の形態１）
図１〜図３は、本発明の実施の形態１における電源コード取り付け構造を示している。
【００１９】
図に示すように、板金で形成された本体ケース２１の底面２１ａには電源コード２２を取り付ける開口部２３が設けられている。電源コード２２は開口部２３から挿入され、コード固定具２４を電源コード２２に当接し、コード固定ネジ２５（コード固定具締結手段）を開口部２３近傍に設けた底面２１ａのコード固定用穴２１ｂ（コード固定具締結手段）に締め込むことによって電源コード２２が圧接されて底面２１ａに保持される。また、電源コード２２には本体ケース２１をアース接続するためのアース線２６が内包されており、アース線２６の先端には端子２７が取り付けられている。開口部２３近傍で底面２１ａの外側にはナット２８（アース線締結手段）が溶接固定されており、端子２７はアース線固定ネジ２９（アース線締結手段）を底面２１ａの貫通穴２１ｃを通してナット２８に締め込むことによって底面２１ａに固定され、本体ケース２１がアース線２６と導通される。コード固定ネジ２５やアース線固定ネジ２９は長さが短いとコード固定用穴２１ｂとナット２８への係りが少なく破損しやすくなるため、コード固定用穴２１ｂとナット２８から突出する程度の長さの締結ネジが使用されている。開口部２３は外側から開口部カバー３０を取り付けることで塞がれ、開口部カバー３０には開口部２３を塞ぐ部分から外側に鍔部３０ａが設けられている。コード固定用穴２１ｂとナット２８はそれぞれ鍔部３０ａで覆われる範囲に設けられている。開口部カバー３０はカバー固定ネジ３１を鍔部３０ａに設けた貫通穴３０ｂを通してカバー固定穴２１ｄに締め込むことによって底面２１ａに固定される。
【００２０】
以上のように構成された電源コード取り付け構造について、以下その動作、作用を説明する。
【００２１】
まず、コード固定ネジ２５とアース線固定ネジ２９をそれぞれコード固定用穴２１ｂとナット２８に締め込む。この時、コード固定ネジ２５とアース線固定ネジ２９の先端は本体ケース２１の外側に露出している。次に開口部カバー３０を開口部２３に取り付けると、コード固定用穴２１ｂとナット２８が鍔部３０ａで覆われる範囲に設けられているため、露出していたコード固定ネジ２５とアース線固定ネジ２９の先端が鍔部３０ａで覆われ露出することはない。その結果、部品を増やすことなくコード固定ネジ２５やアース線固定ネジ２９の露出を防ぎ、先端が手に触れないようにすることができる。なお、コード固定ネジ２５およびアース線固定ネジ２９の締め込みと開口部カバー３０の取り付け順序は逆でもよい。
【００２２】
このように、本実施の形態においては、コード固定具締結手段２１ｂ、２５とアース線締結手段２８、２９を開口部カバー３０の鍔部３０ａ外周よりも内側に配置して開口部カバー３０の鍔部３０ａでコード固定具締結手段２５とアース線締結手段２９の露出した先端を覆ったことによって、部品を増やすことなくコード固定具締結手段２５およびアース線締結手段２９の露出を防ぐことができるものである。
【００２３】
（実施の形態２）
図４および図５は、本発明の実施の形態２における電源コード取り付け構造を示している。実施の形態１と同一要素については同一符号を付してその説明を省略する。
【００２４】
本実施の形態における電源コード取り付け構造は、カバー固定穴２１ｄ（カバー締結手段）をコード固定用穴２１ｂとナット２８よりも開口部２３側に配置し、短いピッチ間で開口部カバー３０を本体ケース２１にカバー固定ネジ３１（カバー締結手段）により固定してある。電源コード２２を押し下げられた場合に開口部カバー３０が本体ケース２１から離れる方向に力が加わるが、開口部カバー３０を短いピッチ間で本体ケース２１に固定しているため開口部カバー３０がたわみにくく、過大に変形して破損したり電源コード２２が挟まったりといったことがない。
【００２５】
このように、本実施の形態においては、カバー締結手段２１ｄ、３１をコード固定具締結手段２１ｂ、２５またはアース線締結手段２８、２９よりも開口部２３側に配置したことにより、電源コード２２を押し下げた時の開口部カバー３０を変形しにくくし開口部カバー３０の破損や電源コード２２の挟み込みを回避することができる。
【００２６】
（実施の形態３）
図６は、本発明の実施の形態３における電源コード取り付け構造を示している。実施の形態１と同一要素については同一符号を付してその説明を省略する。
【００２７】
本実施の形態における電源コード取り付け構造は、コード固定用穴２１ｂおよびナット２８が開口部２３に対しカバー固定穴２１ｄとほぼ等間隔の位置に配置してある。したがって、コード固定用穴２１ｂとナット２８をカバー固定穴２１ｄの外側あるいは内側に配置した場合に比べて開口部カバー３０の横幅が短くなり、開口部カバー３０の強度を高めやすく反りや力が加わった時の変形を小さくできる。
【００２８】
このように、本実施の形態においては、コード固定具締結手段２１ｂ、２５およびアース線締結手段２８、２９を開口部２３に対しカバー締結手段２１ｄ、３１とほぼ等間隔の位置に配置したことにより、開口部カバー３０の横幅が短くなり強度を高めやすく、反りや力が加わった時の変形を小さくできる。
【産業上の利用可能性】
【００２９】
以上のように、本発明にかかる電源コード取り付け構造はコード固定具締結手段やアース線締結手段の露出を防ぐことができるので、例えば持ち運びするような小型の電気器具全般に適用できる。
【符号の説明】
【００３０】
２１  本体ケース
２１ｂ  コード固定用穴（コード固定具締結手段）
２１ｄ  カバー固定穴（カバー締結手段）
２２  電源コード
２３  開口部
２４  コード固定具
２５  コード固定ネジ（コード固定具締結手段）
２６  アース線
２８  ナット（アース線締結手段）
２９  アース線固定ネジ（アース線締結手段）
３０  開口部カバー
３０ａ  鍔部
３１  カバー固定ネジ（カバー締結手段）
【図１】
2010245311.tif 000003
【図２】
2010245311.tif 000004
【図３】
2010245311.tif 000005
【図４】
2010245311.tif 000006
【図５】
2010245311.tif 000007
【図６】
2010245311.tif 000008
【図７】
2010245311.tif 000009
【図８】
2010245311.tif 000010